(57)【特許請求の範囲】
【請求項１】
下記一般式（１）で示されるものであることを特徴とするオルガノポリシロキサン。
【化１】
0005368394.tif 000050
（式中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、Ｙは、（ポリ）オキシアルキレン残基、（ポリ）グリセリン残基、及びポリグリセリンアルキルエステル残基のいずれかである多価アルコール化合物残基、Ｍは水素、アルカリ金属原子、アンモニウムイオン及びアルキルアンモニムイオンのいずれかであり、ｍは０〜３００の整数を示す。）
【請求項２】
前記オルガノポリシロキサンは、下記一般式（２）で示されるものであることを特徴とする請求項１に記載のオルガノポリシロキサン。
【化２】
0005368394.tif 000051
（式中、Ｒ１、Ｍ、ｍは上記と同様であり、ｎは２〜６の整数、ａは１〜５０の整数を示す。）
【請求項３】
前記オルガノポリシロキサンは、下記一般式（３）で示されるものであることを特徴とする請求項１に記載のオルガノポリシロキサン。
【化３】
0005368394.tif 000052
（式中、Ｒ１、Ｍ、ｍは上記と同様であり、Ｒ２は水素であり、Ｒ２の一部が下記一般式（４）であっても良い。ｂは１〜１０の整数である。）
【化４】
0005368394.tif 000053
（式中、Ｒ１、Ｍ、ｍは上記と同様である。）
【請求項４】
請求項１乃至請求項３のいずれか１項に記載のオルガノポリシロキサンを、総質量の０．１〜４０質量％含有するものであることを特徴とする化粧料。
【請求項５】
前記化粧料は、水をさらに含むものであり、エマルションの形態であることを特徴とする請求項４に記載の化粧料。
【請求項６】
前記化粧料は、シリコーンオイル、エステル油、グリセライド油のうち少なくとも１以上をさらに含むものであり、非水エマルションの形態であることを特徴とする請求項４に記載の化粧料。
【請求項７】
前記化粧料は、粉体をさらに含むものであり、該粉体が分散された、液状、ペースト状又は固体状の形態であることを特徴とする請求項４乃至請求項６のいずれか一項に記載の化粧料。
【発明の詳細な説明】
【技術分野】
【０００１】
本発明は、親水性基を有する特定の構造のオルガノポリシロキサン及びそれを含む化粧料に関し、乳化安定性、粉体分散性に優れるオルガノポリシロキサン及びそれを含む化粧料に関する。
【背景技術】
【０００２】
シリコーンオイルは、その安全性等のために諸分野において油剤として用いられている。化粧品においても、多用されており、スキンケア、メイキャップ化粧品等の用途においては、特に１００ｍｍ２／ｓ以下の低粘度シリコーンオイルが、その優れた伸展性、さっぱり感及び安全性により広く使用されている。
【０００３】
シリコーンオイルは、化粧品等の用途で乳化物として使用されることが多く、その場合シリコーン系界面活性剤が使用されることが多い。シリコーン系界面活性剤としては、シロキサンの末端や側鎖にポリオキシアルキレン基を有するポリエーテル変性シリコーン（例えば、特許文献１〜５等）が知られている。さらに主鎖のシロキサン部が分岐したポリエーテル変性シリコーンとして特許文献６や、下記式（５）のようなＡＢＡ型共重合体として特許文献７も知られている。
【化１】
0005368394.tif 000002
（ここで、式中、Ｒｂは炭素数１〜１２の直鎖又は分岐アルキレン基、もしくはフェニル基であり、ｌｂは１〜５、ｍｂは４０〜９０、ｎｂは１０〜４０である。Ｘｂは任意の結合基であり、ウレタン、尿素、アミド、エステル、アルキルエーテルが例示されている。）
【０００４】
その他の親水基として、（ポリ）グリセリン基を有するシリコーンとして特許文献８、シロキサン部分が分岐した特許文献９、下記式（６）に示したＡＢＡ型共重合体として特許文献１０など、（ポリ）グリセリン変性シリコーンが知られている。また、これらは粉体を含有する化粧料の粉体分散安定化剤としても知られている。
【化２】
0005368394.tif 000003
（ここで、式中、Ｒ１ｂは炭素数１〜１２の直鎖又は分岐アルキル基、もしくはフェニル基であり、ｍｂ’は１０〜１２０、ｎｂ’は１〜１１である。Ｒ２ｂは炭素数２〜１１のアルキレンと例示されている。）
【０００５】
シリコーン系界面活性剤は、親水性基の種類、結合部位、親水基／親油基（シリコーン）バランスなど、それぞれ目的応じて使用されているが、特にＡＢＡ（シリコーン−親水基−シリコーン）型共重合体は乳化系化粧料や粉体含有化粧料で安定性に優れている。
【０００６】
しかし、上記の乳化剤や粉体分散安定化剤として用いられているシリコーンにおいては、皮膚親和性や化粧持続性を十分達成することができず、乳化安定性、粉体分散安定性に加えて皮膚親和性及び化粧持続性を達成することができるシリコーンが求められていた。
【先行技術文献】
【特許文献】
【０００７】
【特許文献１】特公平０４−１５７６２号公報
【特許文献２】特公平０４−２０４０７号公報
【特許文献３】特公平０５−１３１２６号公報
【特許文献４】特公平０６−６２３８５号公報
【特許文献５】特公平０５−１２９７９号公報
【特許文献６】特許３７２４９８８号
【特許文献７】特開２００５−１５４７３６号公報
【特許文献８】特公昭６２−３４０３９号公報
【特許文献９】特許３９７６２２６号
【特許文献１０】特開２００６−２１８４７２号
【発明の概要】
【発明が解決しようとする課題】
【０００８】
本発明は、ノニオン性親水性基とアニオン性親水基であるカルボン酸構造を有する新規な特定の構造のオルガノポリシロキサンにより、乳化安定性が良好で、さらには粉体を含む場合は粉体の分散安定性が良好であり、且つ、皮膚親和性、化粧持続性に優れた化粧料を与えることができるオルガノポリシロキサン及びそれを含む化粧料を提供することを目的とする。
【課題を解決するための手段】
【０００９】
上記課題を解決するために、本発明によれば、下記一般式（１）で示されるものであることを特徴とするオルガノポリシロキサンを提供する。
【化３】
0005368394.tif 000004
（式中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、Ｙは、多価アルコール化合物残基、Ｍは水素、アルカリ金属原子、アンモニウムイオン及びアルキルアンモニムイオンのいずれかであり、ｍは０〜３００の整数を示す。）
【００１０】
上記（１）で示されるカルボン酸を有する新規な特定の構造のオルガノポリシロキサン、およびこれを含有する化粧料は、乳化安定性が良好で、さらには粉体を含む場合は粉体の分散安定性が良好であり、且つ、皮膚親和性、化粧持続性に優れた化粧料を与えることができる。
【００１１】
またこのとき、前記Ｙで示される多価アルコール化合物残基は、（ポリ）オキシアルキレン残基、（ポリ）グリセリン残基、及びポリグリセリンアルキルエステル残基のいずれかであることが好ましい。
【００１２】
上記（１）式中のＹで示される多価アルコール化合物残基は、分子中に２つ以上の水酸基を有する多価アルコール化合物における２つの水酸基が除かれた形として示されるが、中でも、（ポリ）オキシアルキレン残基、（ポリ）グリセリン残基、及びポリグリセリンアルキルエステル残基のいずれかであることが好ましい。
【００１３】
またこのとき、前記オルガノポリシロキサンは、下記一般式（２）で示されるものとすることができる。
【化４】
0005368394.tif 000005
（式中、Ｒ１、Ｍ、ｍは上記と同様であり、ｎは２〜６の整数、ａは１〜５０の整数を示す。）
【００１４】
このように、上記（１）中のＹが（ポリ）オキシアルキレン残基である場合、前記オルガノポリシロキサンは上記一般式（２）で示される。
【００１５】
またこのとき、前記オルガノポリシロキサンは、下記一般式（３）で示されるものとすることができる。
【化５】
0005368394.tif 000006
（式中、Ｒ１、Ｍ、ｍは上記と同様であり、Ｒ２は水素であり、Ｒ２の一部が下記一般式（４）であっても良い。ｂは１〜１０の整数である。）
【化６】
0005368394.tif 000007
（式中、Ｒ１、Ｍ、ｍは上記と同様である。）
【００１６】
このように、上記（１）中のＹが（ポリ）グリセリン残基である場合、前記オルガノポリシロキサンは上記一般式（３）で示される。
【００１７】
また、本発明では、前記オルガノポリシロキサンを、総質量の０．１〜４０質量％含有するものであることを特徴とする化粧料を提供する。
【００１８】
上述のカルボン酸を有する新規な特定の構造のオルガノポリシロキサンを含有する化粧料は、乳化安定性が良好で、さらには粉体を含む場合は粉体の分散安定性が良好であり、且つ、皮膚親和性、化粧持続性に優れた化粧料を与えることができる。
【００１９】
またこのとき、前記化粧料は、水をさらに含むものであり、エマルションの形態とすることができる。
【００２０】
本発明の化粧料の形態は特に限定されないが、水を含み、エマルションの形態とすることができる。
【００２１】
またこのとき、前記化粧料は、シリコーンオイル、エステル油、グリセライド油のうち少なくとも１以上をさらに含むものであり、非水エマルションの形態とすることができる。
【００２２】
このように、本発明のオルガノポリシロキサンは、化粧料に慣用されているシリコーンオイル、エステル油、グリセライド油等の極性溶媒を含む非水エマルションの化粧料の乳化剤として特に有効である。
【００２３】
またこのとき、前記化粧料は、粉体をさらに含むものであり、該粉体が分散された、液状、ペースト状又は固体状の形態とすることができる。
【００２４】
本発明の化粧料の形態は特に限定されず、液状、ペースト状又は固体状とすることができる。そして、本発明のオルガノポリシロキサンが粉体分散性にも優れるため、化粧料が粉体を含むものであれば、本発明のオルガノポリシロキサンを有効に用いることができる。即ち、粉体を含有する化粧料において本発明のオルガノポリシロキサンを配合すると、粉体処理効果（耐水性、耐皮脂性、油剤への分散安定性）により、粉体が高度に分散された化粧料を得ることができる。
【発明の効果】
【００２５】
上記本発明のオルガノポリシロキサンは、乳化性、粉体分散性に優れ、経時安定性及び皮膚密着性、化粧持続性に優れた化粧料を形成することができる。さらに、粉体を含有する化粧料において前記オルガノポリシロキサンを配合すると、粉体処理効果（耐水性、耐皮脂性、油剤への分散安定性）により、粉体が高度に分散された化粧料を得ることができる。
【発明を実施するための形態】
【００２６】
以下、本発明をより詳細に説明する。
上記のように、乳化安定性が良好で、さらには粉体を含む場合は粉体の分散安定性が良好であり、且つ、皮膚親和性、化粧持続性に優れた化粧料を与えることができるオルガノポリシロキサンが望まれていた。
【００２７】
本発明者は、鋭意検討を行った結果、下記一般式（１）で示されるオルガノポリシロキサンであれば、乳化安定性が良好で、さらには粉体を含む場合は粉体の分散安定性が良好であり、これを配合した化粧料は、皮膚親和性、化粧持続性に優れることを見出した。
【化７】
0005368394.tif 000008
（式中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、Ｙは、多価アルコール化合物残基、Ｍは水素、アルカリ金属原子、アンモニウムイオン及びアルキルアンモニムイオンのいずれかであり、ｍは０〜３００の整数を示す。）
【００２８】
以下に、本発明の上記（１）で示される新規なオルガノポリシロキサンについて詳述する。
上記式（１）中のＲ１に関し、Ｃ１−３０アルキル基としては、炭素数１〜３０の直鎖状、分岐状、又は環状のアルキル基であり、例えば、メチル基、エチル基、プロピル基、ブチル基、ペンチル基、ヘキシル基、ヘプチル基、オクチル基、ノニル基、デシル基等のアルキル基、シクロペンチル基、シクロヘキシル基等のシクロアルキル基が挙げられる。Ｃ１−３０フッ素置換アルキル基としては、上記アルキル基の少なくとも一部の水素がフッ素置換したものであり、例えば、トリフロロプロピル基、ヘプタデカフロロデシル基等が挙げられる。Ｃ６−３０アリール基としては、フェニル基及びトリル基が、Ｃ６−３０のアラルキル基としては、ベンジル基、及びフェネチル基等が挙げられる。
【００２９】
好ましくは、Ｒ１はＣ１−１５アルキル基、又はフェニル基であり、より好ましくはＣ１−６アルキル基、又はフェニル基であり、特に好ましくはメチル基及びブチル基から選ばれる。さらに、Ｒ１の５０％以上がメチル基であることが好ましく、最も好ましくはＲ１の７０％以上がメチル基である。とりわけ、分子鎖末端のＲ１は、メチル基、ブチル基が好ましく、それ以外のＲ１は、メチル基であることが好ましい。
【００３０】
上記式（１）中のＹは、多価アルコール化合物残基であり、分子中に少なくとも２つ以上の水酸基を有する多価アルコール化合物における２つの水酸基が除かれた形として示される基であれば特に限定されない。例えば、多価アルコールとして、ジエチレングリコールを用いた場合、Ｙは、−ＣＨ２−ＣＨ２−Ｏ−ＣＨ２−ＣＨ２−を示す。
Ｙで示される多価アルコール化合物残基として、具体的には、ポリオキシエチレン残基、ポリオキシプロピレン残基、ポリオキシブチレン残基、ポリオキペンチル残基、またはこれらのブロック共重合体あるいはランダム共重合体などの（ポリ）オキシアルキレン残基、グリセリン残基、ジグリセリン残基、トリグリセリン残基、テトラグリセリン残基などの（ポリ）グリセリン残基、ジグリセリンモノアルキルエステル残基、トリグリセリンモノアルキルエステル残基、トリグリセリンジアルキルエステル残基などのポリグリセリンアルキルエステル残基、ペンタエリスリトール残基であり、好ましくはポリオキシエチレン、ポリオキシプロピレン、グリセリン、ジグリセリン、トリグリセリンである。
【００３１】
上記一般式（１）中のＭは、水素、アルカリ金属原子、アンモニウムイオン、アルキルアンモニウムイオンであり、好ましくは水素、アルカリ金属原子である。ｍは０〜３００であり、好ましくは０〜１５０であり、より好ましくは５〜１００である。
【００３２】
上記（１）中のＹが（ポリ）オキシアルキレン残基である場合、本発明のオルガノポリシロキサンは下記一般式（２）で示すことができる。
【化８】
0005368394.tif 000009
（式中、Ｒ１、Ｍ、ｍは上記と同様であり、ｎは２〜６の整数、ａは１〜５０の整数を示す。）
【００３３】
上記（１）中のＹが（ポリ）グリセリン残基である場合、本発明のオルガノポリシロキサンは下記一般式（３）で示すことができる。
【化９】
0005368394.tif 000010
（式中、Ｒ１、Ｍ、ｍは上記と同様であり、Ｒ２は水素であり、Ｒ２の一部が下記一般式（４）であっても良い。ｂは１〜１０の整数である。）
【化１０】
0005368394.tif 000011
（式中、Ｒ１、Ｍ、ｍは上記と同様である。）
【００３４】
尚、本発明においては、上記のように、多価アルコール残基は、分子中に少なくとも２つ以上の水酸基を有する多価アルコール化合物における２つの水酸基が除かれた形として示される基であれば良く、他の一部の水酸基の水素が上記（４）式で置換されている形、即ち多価アルコール残基として上記一般式（３）中のＲ２の一部が上記一般式（４）であるものも本発明の範疇に入る。
【００３５】
上記（１）で示されるオルガノポリシロキサンは、皮膚密着性に優れ、親水性であるカルボキシル基を有し、また、ポリシロキサンと（ポリ）オキシアルキレン残基等の多価アルコール残基からなるＡＢＡ型ブロック共重合体であるため、乳化安定性及び粉体の分散安定性が良好であるのみならず、皮膚親和性、化粧持続性に優れた化粧料を与えることができるオルガノポリシロキサンとなる。
【００３６】
本発明のオルガノポリシロキサンは、以下の方法で合成することができる。
（工程１）
片末端ハイドロジェンポリシロキサンと、下記式（７）で示されるアリルコハク酸無水物を白金触媒又はロジウム触媒の存在下に付加反応させ、酸無水物基含有オルガノポリシロキサンを合成する。
【化１１】
0005368394.tif 000012
【００３７】
（工程２）
（工程１）で合成された片末端酸無水物基含有オルガノポリシロキサンと多価アルコール化合物のアルコール性水酸基とを開環反応させることにより、本発明のオルガノポリシロキサンを得ることができる。ただし、酸無水物基開環反応時の副生成物として、結合の異なった異性体を含んでいたり、多価アルコールのひとつのアルコール性水酸基とだけ反応したものも含まれることもある。
【００３８】
（工程２）で得られたカルボン酸を水酸化ナトリウム、アンモニア水等と反応させることによって、Ｍがアルカリ金属原子、アンモニウムイオンであるものを得ることができる。
【００３９】
（工程１）において、片末端ハイドロジェンポリシロキサンと、上記式（７）のアリルコハク酸無水物で示される不飽和基含有化合物の合計の反応割合は、片末端のＳｉＨ基と不飽和基のモル比で０．５〜２．０、好ましくは０．８〜１．２である。
【００４０】
また、上記（工程１）の付加反応は、白金触媒又はロジウム触媒の存在下で行うことが望ましく、例えば、塩化白金酸、アルコール変性塩化白金酸、塩化白金酸−ビニルシロキサン錯体等が好適に使用される。なお、触媒の使用量は、触媒として有効な量であってよいが、例えば白金又はロジウム量で５０ｐｐｍ以下、好ましくは２０ｐｐｍ以下である。
【００４１】
上記付加反応は、必要に応じて有機溶剤中で行ってもよく、有機溶剤としては、例えばトルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素、テトラヒドロフラン、ジオキサンなどのエーテル、アセトン、メチルエチルケトンなどのケトンが挙げられる。好ましくは、無溶剤か、炭化水素溶剤又はエーテル系溶剤を使用する。
【００４２】
付加反応条件は特に限定されないが、溶剤を用いた場合にはその還流下で、１〜１０時間反応させることが好適である。
【００４３】
（工程２）において、片末端酸無水物基含有オルガノポリシロキサンと多価アルコール化合物との反応割合は、アルコール性水酸基と酸無水物基のモル比で０．５から１．１、好ましくは０．７〜１．０である。
【００４４】
（工程２）で使用される多価アルコール化合物としては、例えば、エチレングリコール、ジエチレングリコール、トリエチレングリコール、ポリエチレングリコール（分子量２００〜２０００）、プロピレングリコール、ジプロピレングリコール、ポリプロピレングリコール（分子量２００〜３０００）、ブチレングリコール、ジブチレングリコール、ポリブチレングリコール（分子量２００〜４０００）、ポリエチレンプロピレングリコール（分子量１００〜３０００）のランダム、ブロック共重合体、ポリエチレンブチレングリコール（分子量１００〜４０００）のランダム、ブロック共重合体などの（ポリ）オキシアルキレン化合物、グリセリン、ジグリセリン、トリグリセリン、分子量１０００以下のポリグリセリンなどの異性体混合物である（ポリ）グリセリン化合物、ジグリセリンモノオレイルエステル、ジグリセリンモノステアリルエステル、トリグリセリンモノオレイルエステル、トリグリセリンジステアリルエステルなどのポリグリセリンアルキルエステル化合物、ペンタエリスリトールなどが挙げられる。
【００４５】
上記開環反応は無触媒でも容易に進行するが、酢酸カリウム、酢酸ナトリムなどの無機塩を触媒としても用いても良い。また、必要に応じて溶媒中で行っても良く、有機溶剤としては、例えばトルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素、テトラヒドロフラン、ジオキサンなどのエーテル、アセトン、メチルエチルケトンなどのケトンが挙げられるが、好ましく無溶剤か、炭化水素溶剤又はエーテル系溶剤を使用する。
【００４６】
本発明のオルガノポリシロキサンは、皮膚や毛髪に外用される化粧料に好適に使用される。特に、化粧料に慣用されているシリコーンと、水、グリコール、エステル油、グリセライド油等の極性溶剤とを含む化粧料の乳化剤として、また、粉体を含む化粧料の分散剤として好適である。該オルガノポリシロキサンの配合量は、好ましくは化粧品総質量の０．１〜４０質量％、より好ましくは０．５〜２０質量％の範囲である。粉体を含む化粧料の場合には、粉体１００質量部に対して１〜４０質量部、特には１〜２０質量部用いることが好ましい。
【００４７】
本発明の化粧料には、その目的に応じて１種又は２種以上の油剤を配合することができる。通常の化粧料に使用されるものであれば、固体、半固体、液状、いずれの油剤も使用することができ、例えば、天然動植物油脂類及び半合成油脂、炭化水素油、高級アルコール、エステル油、慣用のシリコーン油、フッ素系油剤を用いることができる。
【００４８】
天然動植物油脂類及び半合成油脂としては、例えばアボガド油、アマニ油、アーモンド油、イボタロウ、エノ油、オリーブ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワラン、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、メドウフォーム油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、酢酸ラノリンアルコール、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、ＰＯＥはポリオキシエチレンを意味する。
【００４９】
炭化水素油としては、直鎖状、分岐状、さらに揮発性の炭化水素油等が挙げられ、具体的には、オゾケライト、α−オレフィンオリゴマー、軽質イソパラフィン、イソドデカン、イソヘキサデカン、軽質流動イソパラフィン、スクワラン、合成スクワラン、植物性スクワラン、スクワレン、セレシン、パラフィン、パラフィンワックス、ポリエチレンワックス、ポリエチレン・ポリプロピレンワックス、（エチレン／プロピレン／スチレン）コポリマー、（ブチレン／プロピレン／スチレン）コポリマー、流動パラフィン、流動イソパラフィン、プリスタン、ポリイソブチレン、水添ポリイソブテン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。
【００５０】
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【００５１】
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジオクタン酸ネオペンチルグリコール、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、イソノナン酸イソノニル、イソノナン酸イソトリデシル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、ラウロイルサルコシンイソプロピルエステル、リンゴ酸ジイソステアリル等が挙げられる。
グリセライド油としては、アセトグリセリル、トリイソオクタン酸グリセリル、トリイソステアリン酸グリセリル、トリイソパルミチン酸グリセリル、トリベヘン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【００５２】
シリコーン油としては、ジメチルポリシロキサン、トリストリメチルシロキシメチルシラン、カプリリルメチコン、フェニルトリメチコン、テトラキストリメチルシロキシシラン、メチルフェニルポリシロキサン，メチルヘキシルポリシロキサン、メチルハイドロジェンポリシロキサン、ジメチルシロキサン・メチルフェニルシロキサン共重合体等の低粘度から高粘度の直鎖或いは分岐状のオルガノポリシロキサン、オクタメチルシクロテトラシロキサン、デカメチルシクロペンタシロキサン、ドデカメチルシクロヘキサシロキサン，テトラメチルテトラハイドロジェンシクロテトラシロキサン、テトラメチルテトラフェニルシクロテトラシロキサン等の環状オルガノポリシロキサン、アミノ変性オルガノポリシロキサン、ピロリドン変性オルガノポリシロキサン、ピロリドンカルボン酸変性オルガノポリシロキサン、高重合度のガム状ジメチルポリシロキサン、ガム状アミノ変性オルガノポリシロキサン、ガム状のジメチルシロキサン・メチルフェニルシロキサン共重合体等のシリコーンゴム、及びシリコーンガムやゴムの環状オルガノポリシロキサン溶液、トリメチルシロキシケイ酸、トリメチルシロキシケイ酸の環状シロキサン溶液、ステアロキシリコーン等の高級アルコキシ変性シリコーン、高級脂肪酸変性シリコーン、アルキル変性シリコーン、長鎖アルキル変性シリコーン、アミノ酸変性シリコーン、フッ素変性シリコーン、シリコーン樹脂及びシリコーンレジンの溶解物等が挙げられる。
フッ素系油剤としては、パーフルオロポリエーテル、パーフルオロデカリン、パーフルオロオクタン等が挙げられる。これら油剤の配合量は、剤系によっても異なるが、化粧料全体の１〜９８重量％の範囲が好適である。
【００５３】
本発明の化粧料には、その目的に応じて水を配合することも出来る。その配合量は、剤系によっても異なるが、化粧料全体の１〜９５重量％の範囲が好適である。
【００５４】
本発明の化粧料には、その目的に応じて、Ｃ２−５低級アルコール、Ｃ２−１０多価アルコールを１種又は２種以上用いることもできる。該アルコールとしては、エタノール、イソプロパノール等の低級アルコール、ソルビトール、マルトース等の糖アルコール等があり、コレステロール、シトステロール、フィトステロール、ラノステロール等のステロール、ブチレングリコール、プロピレングリコール、ジブチレングリコール、ペンチレングリコール等の多価アルコール等がある。配合量としては、化粧料全体の０．１〜９８重量％の範囲が好適である。
【００５５】
本発明の化粧料には、その目的に応じて水溶性或いは水膨潤性高分子を用いることができる。なかでも、植物系高分子、微生物系高分子、動物系高分子、デンプン系高分子、セルロース系高分子、アルギン酸系高分子、ポリオキシエチレンポリオキシプロピレン共重合体系高分子、アクリル系高分子、及び無機系水溶性高分子から選ばれる１種又は２種以上の水溶性増粘剤が好ましく使用される。例えば、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ等）、アルゲコロイド、トラントガム、ローカストビーンガム等の植物系高分子、キサンタンガム、デキストラン、サクシノグルカン、プルラン等の微生物系高分子、コラーゲン、カゼイン、アルブミン、ゼラチン等の動物系高分子、カルボキシメチルデンプン、メチルヒドロキシプロピルデンプン等のデンプン系高分子、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末のセルロース系高分子、アルギン酸ナトリウム、アルギン酸プロピレングリコールエステル等のアルギン酸系高分子、ポリビニルメチルエーテル、カルボキシビニルポリマー等のビニル系高分子、ポリオキシエチレン系高分子、ポリオキシエチレンポリオキシプロピレン共重合体系高分子、ポリアクリル酸ナトリウム、ポリエチルアクリレート、ポリアクリルアミド、アクリロイルジメチルタウリン塩コポリマー等のアクリル系高分子、ポリエチレンイミン、カチオンポリマーなど他の合成水溶性高分子、ベントナイト、ケイ酸アルミニウムマグネシウム、モンモリロナイト、バイデライト、ノントロナイト、サポナイト、ヘクトライト、無水ケイ酸等の無機系水溶性高分子などがある。配合量としては、化粧料総質量の０．１〜２５質量％の範囲が好適である。
【００５６】
本発明の化粧料には、その目的に応じて、粉体を１種又は２種以上用いることもできる。粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができ、例えば無機粉体、有機粉体、界面活性剤金属塩粉体、有色顔料、パール顔料、金属粉末顔料、タール色素、天然色素等があげられ、具体的には、無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等；有機粉体としては、ポリアミドパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、シリコーンパウダー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等；界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等；有色顔料としては、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成樹脂粉体等；パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等；金属粉末顔料としては、アルミニウムパウダー、カッパーパウダー、ステンレスパウダー等；タール色素としては、赤色３号、赤色１０４号、赤色１０６号、赤色２０１号、赤色２０２号、赤色２０４号、赤色２０５号、赤色２２０号���赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等から選ばれる粉体である。
【００５７】
これらの粉体は本発明の効果を妨げない範囲で、粉体を複合化したものや、一般油剤、シリコーン油、フッ素化合物、界面活性剤等で処理したものも使用することができ、加水分解性シリル基やケイ素原子に直接結合した水素原子を有するアルキル基で処理したもの、加水分解性シリル基やケイ素原子に直接結合した水素原子を有する直鎖状及び／又は分岐状のオルガノポリシロキサン、加水分解性シリル基やケイ素原子に直接結合した水素原子を有し長鎖アルキルで共変性された直鎖状及び／又は分岐状オルガノポリシロキサン、加水分解性シリル基やケイ素原子に直接結合した水素原子を有しポリオキシアルキレンで共変性された直鎖状及び／又は分岐状オルガノポリシロキサン、加水分解性シリル基やケイ素原子に直接結合した水素原子を有するアクリル−シリコーン系共重合体等も必要に応じて一種、又は二種以上用いることができる。
【００５８】
また、粉体の配合量としては、化粧料全体の０．１〜９９重量％の範囲が好適である。特に、粉末固形化粧料の場合の配合量としては、化粧料全体の８０〜９９重量％の範囲が好適である。
【００５９】
本発明の化粧料には、その目的に応じて１種又は２種以上の界面活性剤を用いることもできる。このような界面活性剤としては、アニオン性、カチオン性、非イオン性及び両性の活性剤があるが、特に制限されるものではなく、通常の化粧料に使用されるものであれば、いずれのものも使用することができる。
【００６０】
アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシル乳酸塩、Ｎ−アシルサルコシン塩、Ｎ−アシルアミノ酸系活性剤等が挙げられる。
【００６１】
カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
【００６２】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、メチルグルコシド脂肪酸エステル、アルキルポリグルコシド、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、直鎖或いは分岐状ポリオキシアルキレン変性オルガノポリシロキサン、直鎖或いは分岐状ポリオキシアルキレン・アルキル共変性オルガノポリシロキサン、直鎖状或いは分岐状のポリグリセリン変性オルガノポリシロキサン、直鎖状或いは分岐状ポリグリセリン・アルキル共変性オルガノポリシロキサン、アルカノールアミド、糖エーテル、糖アミド等が挙げられる。
【００６３】
両性界面活性剤としては、ベタイン、ホスファチジルコリン、アミノカルボン酸塩、イミダゾリン誘導体、アミドアミン型等が挙げられる。これらの界面活性剤の中でも、分子中にポリオキシアルキレン鎖、または、ポリグリセリン鎖を有する直鎖又は分岐状オルガノポリシロキサン、或いはさらに炭素数６〜２０の長鎖アルキル基を有する直鎖又は分岐状オルガノポリシロキサンであることが好ましい。
【００６４】
また、これらの界面活性剤において、親水性のポリオキシアルキレン基、またはポリグリセリン残基の含有量が、分子中の１０〜７０質量％を占めることが好ましく、配合量としては、化粧料総質量の０．１〜２０質量％、特に好ましくは、０．２〜１０質量％の範囲が好適である。
【００６５】
本発明の化粧料には、アクリルシリコーン樹脂及び網状シリコーン樹脂から選ばれるシリコーン樹脂を含んでよい。アクリルシリコーン樹脂はアクリル／シリコーングラフト又はブロック共重合体である。また、ピロリジニル基、長鎖アルキル基、ポリオキシアルキレン基分及びフルオロアルキル基、カルボキシル基などのアニオン性の基の中から選択される少なくとも１種を分子中に含有するアクリルシリコーン樹脂を使用することもできる。
【００６６】
網状シリコーン樹脂はＲ１ｓ３ＳｉＯ０．５単位とＳｉＯ２単位から構成される樹脂、Ｒ１ｓ３ＳｉＯ０．５単位とＲ１ｓ２ＳｉＯ単位及びＳｉＯ２単位から構成される樹脂、Ｒ１ｓ３ＳｉＯ０．５単位とＲ１ｓＳｉＯ１．５単位から構成される樹脂、Ｒ１ｓ３ＳｉＯ０．５単位とＲ１ｓ２ＳｉＯ単位及びＲ１ｓＳｉＯ１．５単位から構成される樹脂、Ｒ１ｓ３ＳｉＯ０．５単位、Ｒ１ｓ２ＳｉＯ単位、Ｒ１ｓＳｉＯ１．５単位及びＳｉＯ２単位から構成される樹脂から選ばれる。尚、Ｒ１ｓは炭化水素基を示す。また、ピロリジニル基、長鎖アルキル基、ポリオキシアルキレン基及びフルオロアルキル基、アミノ基の中から選択される少なくとも１種を分子中に含有する網状シリコーンを使用することもできる。シリコーン樹脂を用いる場合の配合量としては、化粧料総質量に対して０．１〜２０質量％が好ましく、更に好ましくは１〜１０質量％である。
【００６７】
本発明の化粧料には、その目的に応じて１種又は２種以上の架橋型オルガノポリシロキサンと室温で液状の油剤からなる組成物を用いることもできる。この架橋型オルガノポリシロキサンは、液状油に対し、自重以上の該液状油を含んで膨潤することが好ましい。液状油としては、上記液状のシリコーン油、炭化水素油、エステル油、天然動植物油、半合成油等、フッ素系油を用いることができ、たとえば、０．６５ｍｍ２／秒（２５℃）〜１００．０ｍｍ２／秒（２５℃）の低粘度シリコーン油、流動パラフィン、スクワラン、イソドデカン、イソヘキサデカン等の炭化水素油やトリオクタノイン等のグリセライド油、イソノナン酸イソトリデシル、Ｎ−アシルグルタミン酸エステル、ラウロイルサルコシン酸エステル等のエステル油、マカデミアナッツ油などの天然動植物油が挙げられる。また、この架橋型オルガノポリシロキサンの架橋剤は、分子中に二つ以上のビニル性反応部位を持ち、かつ、ケイ素原子に直接結合した水素原子との間で反応することにより、架橋構造を形成するものであることが好ましい。分子中に二つ以上のビニル性反応部位を持つものとしては、分子中に二つ以上のビニル基を有するオルガノポリシロキサン、分子中に二つ以上のアリル基を有するポリオキシアルキレン、分子中に二つ以上のアリル基を有するポリグリセリン、α、ω−アルケニルジエンなどが挙げられる。また、ポリオキシアルキレン基、ポリグリセリン残基、長鎖アルキル基、アルケニル基、アリール基、及びフルオロアルキル基からなる群から選択される少なくとも１種を有する架橋剤を使用することもできる。架橋型オルガノポリシロキサンと室温で液状の油剤からなる組成物を用いる場合の配合量としては、化粧料の総質量に対して０．１〜８０質量％が好ましく、更に好ましくは１〜５０質量％である。
【００６８】
本発明の化粧料には、その目的に応じて１種又は２種以上のα−オレフィンとジエンを反応させて得られる不飽和基を有するオレフィンワックスと１分子１個以上のＳｉＨ結合を有するオルガノハイドロジェンポリシロキサンとを付加反応させることによって得られるシリコーン変性オレフィンワックスを含むことができる。α−オレフィンとしてはエチレン、プロピレン、１−ブテン、１−ヘキセン、４−メチル１−ペンテンなどの炭素原子数２〜１２のものが好ましく、ジエンとしてはブタジエン、イソプレン、１．４ヘキサジエン、ビニルノルボルネン、エチリデンノルボルネン、ジシクロペンタジエンなどが好ましい。ＳｉＨ結合を有するオルガノハイドロジェンポリシロキサンは直鎖状やシロキサン分岐型等の構造のものが使用できる。
【００６９】
更に本発明の化粧料には、本発明の効果を妨げない範囲で通常の化粧料に使用される成分、油溶性ゲル化剤、有機変性粘土鉱物、制汗剤、紫外線吸収剤、紫外線吸収散乱剤、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等を添加することができる。
【００７０】
油溶性ゲル化剤としては、アルミニウムステアレート、マグネシウムステアレート、ジンクミリステート等の金属セッケン、Ｎ−ラウロイル−Ｌ−グルタミン酸、α，γ−ジ−ｎ−ブチルアミン等のアミノ酸誘導体、デキストリンパルミチン酸エステル、デキストリンステアリン酸エステル、デキストリン２−エチルヘキサン酸パルミチン酸エステル等のデキストリン脂肪酸エステル、ショ糖パルミチン酸エステル、ショ糖ステアリン酸エステル等のショ糖脂肪酸エステル、フラクトオリゴ糖ステアリン酸エステル、フラクトオリゴ糖２−エチルヘキサン酸エステル等のフラクトオリゴ糖脂肪酸エステル、モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等から選ばれるゲル化剤が挙げられる。
【００７１】
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる制汗剤が挙げられる。
【００７２】
紫外線吸収剤としては、パラアミノ安息香酸等の安息香酸系紫外線吸収剤、アントラニル酸メチル等のアントラニル酸系紫外線吸収剤、サリチル酸メチル、サリチル酸オクチル、サリチル酸トリメチルシクロヘキシル等のサリチル酸系紫外線吸収剤、パラメトキシケイ皮酸オクチル等のケイ皮酸系紫外線吸収剤、２，４−ジヒドロキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤、フェニルベンズイミダゾールスルフォン酸、トリアジン誘導体等が挙げられ、紫外線吸収散乱剤としては微粒子酸化チタン、微粒子鉄含有酸化チタン、微粒子酸化亜鉛、微粒子酸化セリウム及びそれらの複合体等、紫外線を吸収散乱する粉体が挙げられ、これらの紫外線を吸収散乱する粉体をあらかじめ油剤に分散させた分散物を用いることもできる。
【００７３】
保湿剤としては、グリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等がある。
【００７４】
防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等がある。
【００７５】
塩類としては無機塩、有機酸塩、アミン塩及びアミノ酸塩が挙げられる。無機塩としては、たとえば、塩酸、硫酸、炭酸、硝酸等の無機酸のナトリウム塩、カリウム塩、マグネシウム塩、カルシウム塩、アルミニウム塩、ジルコニウム塩、亜鉛塩等；有機酸塩としては、例えば酢酸、デヒドロ酢酸、クエン酸、りんご酸、コハク酸、アスコルビン酸、ステアリン酸等の有機酸類の塩；アミン塩及びアミノ酸塩としては、例えば、トリエタノールアミン等のアミン類の塩、グルタミン酸等のアミノ酸類の塩等がある。また、その他、ヒアルロン酸、コンドロイチン硫酸等の塩、アルミニウムジルコニウムグリシン錯体等や、更には、化粧品処方の中で使用される酸−アルカリの中和塩等も使用することができる。
酸化防止剤としては、トコフェロール、ｐ−ｔ−ブチルフェノール、ブチルヒドロキシアニソール、ジブチルヒドロキシトルエン、フィチン酸等、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、Ｌ−メントール、カンフル等、抗炎症剤としては、アラントイン、グリチルリチン酸及びその塩、グリチルレチン酸及びグリチルレチン酸ステアリル、トラネキサム酸、アズレン等が挙げられる。
【００７６】
美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等が挙げられる。
【００７７】
ビタミン類としては、ビタミンＡ油、レチノール、酢酸レチノール、パルミチン酸レチノール等のビタミンＡ類、リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類、Ｌ−アスコルビン酸、Ｌ−アスコルビン酸ジパルミチン酸エステル、Ｌ−アスコルビン酸−２−硫酸ナトリウム、  Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等がある。
【００７８】
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等が挙げられる。
【００７９】
毛髪固定用高分子化合物としては、両性、アニオン性、カチオン性、非イオン性の各高分子化合物が挙げられ、ポリビニルピロリドン、ビニルピロリドン／酢酸ビニル共重合体等のポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルエチル−Ｎ、Ｎ−ジメチルアンモニウム・α−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物が挙げられる。また、セルロースまたはその誘導体、ケラチンおよびコラーゲンまたはその誘導体等の天然由来高分子化合物も好適に用いることができる。
【００８０】
本発明において、化粧料の剤形もしくは形態は特に限定されず、水性、油性、油中水型エマルジョン、水中油型エマルジョン、非水エマルジョン、Ｗ／Ｏ／ＷやＯ／Ｗ／Ｏなどのマルチエマルジョン、サスペンジョン、ペースト状、固体状であってよい。
【００８１】
化粧料の用途も任意のものであってよい。例えば、化粧水、乳液、クリーム、クレンジング、パック、オイルリキッド、マッサージ料、美容液、美容オイル、ハンドクリーム、リップクリーム、しわ隠し等のスキンケア化粧料；メークアップ下地、コンシーラー、白粉、パウダーファンデーション、リキッドファンデーション、クリームファンデーション、油性ファンデーション、頬紅、アイシャドウ、マスカラ、アイライナー、アイブロウ、口紅等のメークアップ化粧料；シャンプー、リンス、トリートメント、セット剤等の毛髪化粧料；日焼け止めオイルや日焼け止め乳液、日焼け止めクリームなどの紫外線防御化粧料；その他、洗浄剤、脱臭剤、制汗剤等が挙げられる。
【実施例】
【００８２】
以下に、本発明に関して実施例を挙げて説明するが、本発明は、これらに限定されるものではない。
【００８３】
（実施例１）
反応器に下記式（８）で表される片末端ハイドロジェンポリシロキサン２４１質量部と無水アリルコハク酸１４．７質量部と、トルエン１００質量部を仕込み、塩化白金酸０．５重量％のトルエン溶液０．１質量部を加えた後、還流下で２時間反応させた。反応物を減圧下で加熱して溶剤を溜去し、下記式（９）で表される酸無水物基含有オルガノポリシロキサンを得た。
【化１２】
0005368394.tif 000013
【化１３】
0005368394.tif 000014
【００８４】
上記酸無水物基含有オルガノポリシロキサン２５５質量部に、ＨＯ（Ｃ２Ｈ４Ｏ）９Ｈのポリエチレングリコール２０．７質量部、酢酸ナトリウム０．０１質量部を添加し、８０℃で５時間反応させた。反応物を減圧蒸留に付して、下記式（１０）で表されるカルボキシル基含有オルガノポリシロキサンを得た。
【化１４】
0005368394.tif 000015
【００８５】
（実施例２）
反応器に下記式（１１）で表される片末端ハイドロジェンポリシロキサン４６３質量部と無水アリルコハク酸１４．７質量部と、トルエン２００質量部を仕込み、塩化白金酸０．５重量％のトルエン溶液０．１質量部を加えた後、還流下で２時間反応させた。反応物を減圧下で加熱して溶剤を溜去し、下記式（１２）で表される酸無水物基含有オルガノポリシロキサンを得た。
【化１５】
0005368394.tif 000016
【化１６】
0005368394.tif 000017
【００８６】
上記酸無水物基含有オルガノポリシロキサン４６４質量部にジグリセリン７．６質量部、酢酸ナトリウム０．０１質量部を添加し、８０℃で５時間反応させた。反応物を減圧蒸留に付して、下記式（１３）で表されるカルボキシル基含有オルガノポリシロキサンを得た。
【化１７】
0005368394.tif 000018
【００８７】
（実施例３）
実施例２で得られた酸無水物基含有変性オルガノポリシロキサン（１２）２３２質量部とＨＯ（Ｃ２Ｈ４Ｏ）１５（Ｃ３Ｈ６Ｏ）１５Ｈ  ３８．７質量部、酢酸ナトリウム０．０１質量部を添加し、８０℃で５時間反応させた。反応物を減圧蒸留に付して、下記式（１４）で表されるカルボキシル基含有オルガノポリシロキサンを得た。
【化１８】
0005368394.tif 000019
【００８８】
（実施例４）
実施例１で得られた酸無水物基含有変性オルガノポリシロキサン（９）２５５質量部と
モノステアリン酸ジグリセリン２１．６質量部、酢酸ナトリウム０．０１質量部を添加し、８０℃で８時間反応させた。反応物を減圧蒸留に付して、下記式（１５）で表されるカルボキシル基含有オルガノポリシロキサンを得た。
【化１９】
0005368394.tif 000020
【００８９】
（実施例５）
反応器に下記式（１６）で表される片末端ハイドロジェンポリシロキサン２２９質量部と無水アリルコハク酸１．５質量部と、トルエン１００質量部を仕込み、塩化白金酸０．５重量％のトルエン溶液０．１質量部を加えた後、還流下で２時間反応させた。反応物を減圧下で加熱して溶剤を溜去し、下記式（１７）で表される酸無水物基含有オルガノポリシロキサンを得た。
【化２０】
0005368394.tif 000021
【化２１】
0005368394.tif 000022
【００９０】
上記酸無水物基含有オルガノポリシロキサン２３０質量部にトリグリセリン１．２質量部、酢酸ナトリウム０．０１質量部を添加し、８０℃で５時間反応させた。反応物を減圧蒸留に付して、下記式（１８）で表されるカルボキシル基含有オルガノポリシロキサンを得た。
【化２２】
0005368394.tif 000023
【００９１】
（実施例６）
反応器に下記式（１９）で表される片末端ハイドロジェンポリシロキサン５８３質量部と無水アリルコハク酸１４．７質量部と、トルエン２００質量部を仕込み、塩化白金酸０．５重量％のトルエン溶液０．１質量部を加えた後、還流下で２時間反応させた。反応物を減圧下で加熱して溶剤を溜去し、下記式（２０）で表される酸無水物基含有オルガノポリシロキサンを得た。
【化２３】
0005368394.tif 000024
【化２４】
0005368394.tif 000025
【００９２】
上記酸無水物基含有オルガノポリシロキサン１７９質量部にトリグリセリン２．２質量部、酢酸ナトリウム０．０１質量部を添加し、８０℃で５時間反応させた。反応物を減圧蒸留に付して、下記式（２１）で表されるカルボキシル基含有オルガノポリシロキサンを得た。
【化２５】
0005368394.tif 000026
【００９３】
（実施例７〜８、比較例１〜２）
下記表１に示す組成のｗ／ｏ乳化物（配合量は質量％を示す）を下記方法で調製した。
（製造方法）
成分１〜５をデイスパーミキサーを用いて１５００ｒｐｍで攪拌混合した後、成分６，７をゆっくり添加し、乳化した。
得られた乳化物の１００ｇを密閉容易に入れて、５０℃で１週間静置後、その乳化状態を目視にて観察し、下記基準で評価した。
（評価基準）    ○：分離なし、△：わずかに分離、×：二層分離
【００９４】
【表１】
0005368394.tif 000027
・成分２：実施例１のオルガノポリシロキサンのＮａ塩
実施例１のオルガノポリシロキサンのカルボキシル基を当量の水酸化ナトリウムで中和
・成分３：実施例２のオルガノポリシロキサンのＮａ塩
実施例２のオルガノポリシロキサンのカルボキシル基を当量の水酸化ナトリウムで中和
・（注１）下記式で示されるオルガノポリシロキサン
【化２６】
0005368394.tif 000028
・（注２）下記式で示されるオルガノポリシロキサン
【化２７】
0005368394.tif 000029
【００９５】
表１に示すように、カルボキシル基を有する実施例１、２のオルガノポリシロキサンのＮａ塩を使用した乳化物（実施例７、８）は、５０℃１週間経過後も初期乳化状態を維持していたが、カルボキシル基を有しないオルガノポリシロキサンを用いた比較例１、２は油相が十分に均一ではなく乳化系の安定性を欠いた。
【００９６】
（実施例９、１０、比較例３、４）
実施例１、２で得られたオルガノポリシロキサンを使用して、表２の組成でＷ／Ｏ型ファンデーションを下記方法で作成し評価を行った。
【表２】
0005368394.tif 000030
（注１）、（注２）は前記と同じ
（注３）疎水化処理；粉体に対して２％のメチルハイドロジェンポリシロキサン添加後、加熱処理したもの
【００９７】
（製造方法）
Ａ：成分１〜７を加熱混合し、成分８〜１３を添加して均一にする。
Ｂ：成分１４、１５及び１７を加熱溶解する。
Ｃ：攪拌下、ＡにＢを徐添して乳化し、冷却して成分１６を添加しファンデーションを得た。
【００９８】
実施例９、１０、比較例３、４で得られたファンデーションについて、女性５０名の専門パネルにより使用テストを行ない、使用性の良さ、色調の均一性の良さ、化粧持ちの良さ、について評価した。
（評価基準）
５点：非常に良好
４点：良好
３点：普通
２点：やや不良
１点：不良
各評価項目毎に、全パネルの評価点の平均を取った。表３における、各符号の意味は以下のとおりである。
得られた平均点が４．５点以上                  ◎
得られた平均点が３．５点以上４．５点未満      ○
得られた平均点が２．５点以上３．５点未満      △
得られた平均点が１．５点以上２．５点未満      ×
得られた平均点が１．５点未満                  ××
【００９９】
【表３】
0005368394.tif 000031
【０１００】
表３に示すように、比較例３、４のファンデーションは、塗付時の色調は良好であったが、皮膚への親和性が弱く、化粧持ちが悪かった。これに対して、実施例９、１０のファンデーションは使用性が良く、顔料分散性が良いため、きめが細かく、色調も均一で、皮膚との親和性に優れ、化粧持ちも良かった。
【０１０１】
以下の実施例において、経時安定性は化粧料を密閉容器内に入れて５０℃で１ヶ月放置した後の外観の変化が無いことによって確認した。
【０１０２】
（実施例１１）アイライナー
実施例１で得られたオルガノポリシロキサンを使用して、表４の組成でアイライナーを下記方法で作成し評価を行った。
【表４】
0005368394.tif 000032
（注４）シリコーン樹脂：［Ｍｅ３ＳｉＯ１／２］／［ＳｉＯ２］比が０．８のシリコーン網状化合物の５０％−Ｄ５溶液
（注５）シリコーン処理黒酸化鉄；黒酸化鉄の質量に対し、２質量％のメチルハイドロジェンポリシロキサン添加後、１５０℃で加熱処理したもの
【０１０３】
（製造方法）
Ａ：成分１〜３を混合し、成分４を加えて均一に混合分散した。
Ｂ：成分５〜７及び９を混合した。
Ｃ：Ｂで得られた混合物をＡで得られた分散物に徐添して乳化した後、成分８を加えてアイライナーを得た。
【０１０４】
以上のようにして得られたアイライナーは、のびが軽くて描きやすく、べたつきがなく、温度や経時による変化もなく、化粧持ちも非常に良かった。
【０１０５】
（実施例１２）サンタンクリーム
実施例４で得られたオルガノポリシロキサンを使用して、表５の組成でサンタンクリームを下記方法で作成し評価を行った。
【表５】
0005368394.tif 000033
【０１０６】
（製造方法）
Ａ：成分１〜７及び１６〜１７を加熱溶解した。
Ｂ：成分１５及び１９の一部を加熱攪拌後、成分８〜１２を添加し分散処理した。
Ｃ：成分１３〜１４及び１９の残部を溶解し、Ｂで得られた分散物と混合した。
Ｄ：攪拌下、Ａで得られた混合物にＣで得られた分散物を徐添して乳化し、冷却して成分１８を添加しサンタンクリームを得た。
【０１０７】
以上のようにして得られたサンタンクリームは、キメが細かく、のび広がりが軽くてべたつきがなく、みずみずしく、さっぱりとした使用感を与えると共に、経時変化も無かった。さらに化粧持ちも良かった。
【０１０８】
（実施例１３）クリーム
実施例２で得られたオルガノポリシロキサンを使用して、表６の組成でクリームを下記方法で作成し評価を行った。
【表６】
0005368394.tif 000034
（製造方法）
Ａ：成分１〜４及び８を加熱混合した。
Ｂ：成分５〜７及び１０を加熱溶解した。
Ｃ：攪拌下、Ａで得られた混合物にＢで得られた溶液を徐添して乳化し、冷却して成分９を添加し、クリームを得た。
【０１０９】
以上のようにして得られたクリームは、のび広がりが軽くてべたつきや油っぽさがなく、みずみずしく、さっぱりとした使用感を与えると共に、経時変化も無かった。
【０１１０】
（実施例１４）日焼け止めクリーム
実施例１で得られたオルガノポリシロキサンを使用して、表７の組成で日焼け止めクリームを下記方法で作成し評価を行った。
【表７】
0005368394.tif 000035
（製造方法）
Ａ：成分１〜６及び９を加熱混合した。
Ｂ：成分７〜８及び１１を加熱し均一になるよう分散混合した。
Ｃ：攪拌下、Ａで得られた混合物にＢで得られた分散物を徐添して乳化し、冷却して成分１０を添加し日焼け止めクリームを得た。
【０１１１】
以上のようにして得られた日焼け止めクリームは、キメが細かく、のび広がりが軽く、経時変化も無かった。また、べたつきがないため、砂が全くつかず、使用性が非常に良かった。さらに、化粧持ちも良いため、紫外線防止効果が持続した。
【０１１２】
（実施例１５）アイシャドウ
実施例３で得られたオルガノポリシロキサンを使用して、表８の組成でアイシャドウを下記方法で作成し評価を行った。
【表８】
0005368394.tif 000036
（注６）シリコーン処理；粉体質量に対して３質量％のメチルハイドロジェンポリシロキサン添加後、１５０℃で加熱処理したもの
（製造方法）
Ａ：成分１〜４を混合し、成分５〜７を添加して均一になるよう分散した。
Ｂ：成分８〜１０及び１２を均一溶解した。
Ｃ：攪拌下、Ａで得られた分散物にＢで得られた溶液を徐添して乳化し、成分１１を添加してアイシャドウを得た。
【０１１３】
以上のようにして得られたアイシャドウは、のび広がりが軽くて油っぽさや粉っぽさがなく、みずみずしく、さっぱりとした使用感を与えると共に、耐水性や撥水性、耐汗性が良好で持ちも良く、化粧崩れしにくく、温度や経時的に変化がなく安定性にも優れていることがわかった。
【０１１４】
（実施例１６）リップクリーム
実施例４で得られたオルガノポリシロキサンを使用して、表９の組成でリップクリームを下記方法で作成し評価を行った。
【表９】
0005368394.tif 000037
（製造方法）
Ａ：成分１〜８を加熱混合した。
Ｂ：成分９〜１６及び１８を加熱溶解した。
Ｃ：攪拌下、Ａで得られた混合物にＢで得られた溶液を徐添して乳化し、成分１７を添加してカプセルに充填し、リップクリームを得た。
【０１１５】
以上のようにして得られた固形状の油中水型リップクリームは、のび広がりが軽くてべたつきや油っぽさがなく、しっとりとしてみずみずしく、さっぱりとした使用感を与えると共に経時変化も無く、施与されたリップクリームは持ちがよかった。
【０１１６】
（実施例１７）液状乳化ファンデーション
実施例１で得られたオルガノポリシロキサンを使用して、表１０の組成で液状乳化ファンデーションを下記方法で作成し評価を行った。
【表１０】
0005368394.tif 000038
（注７）疎水化処理粉体；粉体質量に対し、２質量％のステアリン酸で処理したもの
（製造方法）
Ａ：成分１〜８を加熱混合し、成分９〜１４を添加して均一にした。
Ｂ：成分１５〜１７及び１９を加熱溶解した。
Ｃ：攪拌下、Ａで得られた混合物にＢで得られた溶液を徐添して乳化し、冷却して成分１８を添加し液状乳化ファンデーションを得た。
【０１１７】
以上のようにして得られた液状乳化ファンデーションは、粘度が低くキメが細かく、のび広がりが軽くてべたつきや油っぽさがなく、しっとりとしてみずみずしく、さっぱりとした使用感を与えると共に経時変化も無かった。皮膚上での化粧持ちも良かった。
【０１１８】
（実施例１８）透明ゲル化粧料
実施例１で得られたオルガノポリシロキサンを使用して、表１１の組成で透明ゲル化粧料を下記方法で作成し評価を行った。
【表１１】
0005368394.tif 000039
（製造方法）
Ａ：成分３〜１１を均一溶解した。
Ｂ：成分１〜２を混合し、均一にした。
Ｃ：攪拌下、Ａで得られた溶液をＢで得られた混合物に徐添、乳化して透明ゲル化粧料を得た。
【０１１９】
以上のようにして得られた透明ゲル化粧料は、のび広がりが軽く、べたつきや油っぽさがなく、しっとりとしてみずみずしく、さっぱりとした使用感を与えると共に、皮膚になじみやすく、経時変化も無かった。
【０１２０】
（実施例１９）日焼け止め化粧水
実施例２で得られたオルガノポリシロキサンを使用して、表１２の組成で日焼け止め化粧水を下記方法で作成し評価を行った。
【表１２】
0005368394.tif 000040
（注８）疎水化処理超微粒子酸化チタン；チタンＴＴＯ−Ｖ−４（石原産業社製）
（製造方法）
Ａ：成分６〜１４を均一になるよう溶解した。
Ｂ：成分１〜４を混合し、成分５を加えて均一にした。
Ｃ：攪拌下、ＡにＢを徐添、乳化して日焼け止め化粧水を得た。
【０１２１】
以上のようにして得られた日焼け止め化粧水は、のび広がりが軽く、べたつきや油っぽさがなく、しっとりとしてみずみずしく、さっぱりとした使用感を与えると共に、皮膚になじみやすく、経時変化も無かった。また、日焼け止め効果にも優れていた。
【０１２２】
（実施例２０）乳液
実施例１で得られたオルガノポリシロキサンを使用して、表１３の組成で乳液を下記方法で作成し評価を行った。
【表１３】
0005368394.tif 000041
（製造方法）
Ａ：成分１〜７を加熱混合した。
Ｂ：成分８〜１０及び１２を加熱溶解した。
Ｃ：攪拌下、Ａで得られた混合物にＢで得られた溶液を徐添して乳化し、冷却して成分１１を添加し乳液を得た。
【０１２３】
以上のようにして得られた乳液は、低粘度でキメが細かく、のび広がりが軽くてべたつきや油っぽさがなく、しっとりとしてみずみずしく、さっぱりとした使用感を与えると共に経時変化も無かった。さらに皮膚上での化粧持ちも良かった。
【０１２４】
（実施例２１）日焼け止めクリーム
実施例３で得られたオルガノポリシロキサンを使用して、表１４の組成で日焼け止めクリームを下記方法で作成し評価を行った。
【表１４】
0005368394.tif 000042
（製造方法）
Ａ：成分１〜５を加熱混合した。
Ｂ：成分６〜８及び１０を加熱溶解した。
Ｃ：攪拌下、Ａで得られた混合物にＢで得られた溶液を徐添して乳化し、冷却して成分９を添加し日焼け止めクリームを得た。
【０１２５】
以上のようにして得られた日焼け止めクリームは、キメが細かく、のび広がりが軽く、しっとりとしてみずみずしく、油っぽさやべたつきがなく、経時変化も無かった。また、施与された日焼け止めクリームは、耐水性、耐汗性に優れて化粧持ちも良く、紫外線防止効果も持続した。
【０１２６】
（実施例２２）液状ファンデーション
実施例１で得られたオルガノポリシロキサンを使用して、表１５の組成で液状ファンデーションを下記方法で作成し評価を行った。
【表１５】
0005368394.tif 000043
（注９）フッ素変性シリコーン；ＦＬ−１００（信越化学工業社製）
（注１０）球状シリコーン樹脂粉体；ＫＭＰ５９０（信越化学工業（株）製）
（注１１）フッ素化合物処理；パーフルオロアルキルエチルリン酸ジエタノールアミン塩にて５％被覆したもの
（製造方法）
Ａ：成分７〜１３を均一に混合した。
Ｂ：成分１〜６を７０℃に加熱混合し、Ａで得られた混合物を加えて均一になるよう分散及び混合した。
Ｃ：成分１４〜１７及び１９を４０℃に加温して溶液を得、これをＢで得られた分散物に徐添して乳化し、冷却して成分１８を加え、液状ファンデーションを得た。
【０１２７】
以上のようにして得られた液状ファンデーションは、べたつきがなく、のび広がりも軽く、しかも、さっぱり感を与えた。また、経時変化も無かった。
【０１２８】
（実施例２３）乳液
実施例１で得られたオルガノポリシロキサンを使用して、表１６の組成で乳液を下記方法で作成し評価を行った。
【表１６】
0005368394.tif 000044
（注１２）オルガノポリシロキサンエラストマー球状粉体；ＫＭＰ５９４（信越化学工業（株）製）
（注１３）疎水化シリカ；アエロジルＲ９７２（日本アエロジル社製）
（製造方法）
Ａ：成分１〜５を均一に混合し、成分６〜７を加えて均一になるよう分散した。
Ｂ：成分１４に成分８〜１０を加えて溶解し、更に成分１１、１２を混合したものを、添加した。
Ｃ：Ｂで得られた混合物をＡで得られた分散物に徐添して乳化した後冷却し、成分１３を加えて乳液を得た。
【０１２９】
以上のようにして得られた乳液は、のび広がりも軽く、さらっとしてべたつきがなく、経時変化も無かった。
【０１３０】
（実施例２４）保湿クリーム
実施例１で得られたオルガノポリシロキサンを使用して、表１７の組成で保湿クリームを下記方法で作成し評価を行った。
【表１７】
0005368394.tif 000045
（注１４）オルガノポリシロキサンエラストマー球状粉体；ＫＭＰ５９４（信越化学工業（株）製）
（注１５）疎水化シリカ；アエロジルＲ９７２（日本アエロジル社製）
（製造方法）
Ａ：成分１〜６及び９〜１０を均一に混合し、成分７〜８を加えて均一になるよう分散した。
Ｂ：成分１１〜１４及び１６を加えて溶解した。
Ｃ：Ｂで得られた溶液をＡで得られた混合物に徐添して乳化した後冷却し、成分１５を加えて保湿クリームを得た。
【０１３１】
以上のようにして得られた保湿クリームは、のび広がりも軽く、べたつきがなく、経時変化も無かった。
【０１３２】
（実施例２５）アイライナー
実施例２で得られたオルガノポリシロキサンを使用して、表１８の組成でアイライナー
を下記方法で作成し評価を行った。
【表１８】
0005368394.tif 000046
（製造方法）
Ａ：成分１〜２、４〜７を混合し、成分３を加えて均一に混合分散した。
Ｂ：成分８〜１０及び１２を混合した。
Ｃ：Ｂで得られた混合物をＡで得られた分散物に徐添して乳化した後冷却し、成分１１を加えてアイライナーを得た。
【０１３３】
以上のようにして得られたアイライナーは、のびが軽くて描きやすく、経時変化も無かった。また、皮膚上での、耐水性、耐汗性に優れ、化粧持ちも非常に良かった。
【０１３４】
（実施例２６）サンカットクリーム
実施例１で得られたオルガノポリシロキサンを使用して、表１９の組成でサンカットクリームを下記方法で作成し評価を行った。
【表１９】
0005368394.tif 000047
（注１６）ＫＰ５４５；アクリルシリコーン（信越化学工業（株）製）
（注１７）ＫＳＧ２１０；シリコーンゲル（信越化学工業（株）製）
（製造方法）
Ａ：成分１の一部に成分２を加えて均一にし、成分７を添加してビーズミルにて分散した。
Ｂ：成分１の残部と及び３〜６を混合し、均一に混合した。
Ｃ：成分８〜１０及び１２を混合、溶解した。
Ｄ：Ｂで得られた混合物にＣで得られた溶液を加えて乳化し、Ａ及び成分１１を加添加してサンカットクリームを得た。
【０１３５】
以上のようにして得られたサンカットクリームは、べたつきがなく、のび広がりも軽く、密着感を与えた。経時変化も無く、皮膚上での紫外線効果も持続した。
【０１３６】
（実施例２７）Ｏ／Ｗハンドクリーム
実施例４で得られたオルガノポリシロキサンを使用して、表２０の組成でＯ／Ｗハンドクリームを下記方法で作成し評価を行った。
【表２０】
0005368394.tif 000048
（注１８）ＫＰ５４５；アクリルシリコーン（信越化学工業（株）製）
（注１９）ＫＳＧ１６；シリコーンゲル（信越化学工業（株）製）
（注２０）セピゲル３０５；（ＳＥＰＰＩＣ社製）
（製造方法）
Ａ：成分１〜７を均一に混合した。
Ｂ：成分８〜１１及び１３を均一に混合した。
Ｃ：Ａで得られた混合物にＢで得られた溶液を加えて乳化し、成分１２を添加してＯ／Ｗハンドクリームを得た。
【０１３７】
以上のようにして得られたハンドクリームはのび広がりも軽く、優れた密着感を与え、水仕事から皮膚を効果的に保護した。さらに、経時変化も無かった。
【０１３８】
（実施例２８）Ｏ／Ｗハンドクリーム
実施例１で得られたオルガノポリシロキサンを使用して、表２１の組成でＯ／Ｗハンドクリームを下記方法で作成し評価を行った。
【表２１】
0005368394.tif 000049
（注２１）ＫＰ５４５；アクリルシリコーン（信越化学工業（株）製）
（注２２）ＫＰ５６１Ｐ；ステアリル変性アクリルシリコーン（信越化学工業（株）製）
（製造方法）
Ａ：成分１〜９を混合、加熱溶解した。
Ｂ：成分１０〜１２及び１４を加熱混合した。
Ｃ：Ａで得られた溶液にＢで得られた混合物を加えて乳化し、冷却して成分１３を添加し、Ｏ／Ｗハンドクリームを得た。
【０１３９】
以上のようにして得られたハンドクリームは、べたつきがなく、のび広がりも軽く、優れた密着感を与え、水仕事から皮膚を効果的に保護した。さらに、経時変化も無かった。
【０１４０】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。